(57)【特許請求の範囲】
【請求項１】
建物の床下に配備されて、その床上の室内を暖房するための暖房機であって、
前記床上に臨む吸気口から、同じく前記床上に臨む送気口まで空気が送られる、空気の通路を備え、
前記通路は、前記吸気口を上部に有して空気が下降する吸気通路と、前記送気口を上部に有して空気が上昇する送気通路と、前記吸気通路の下部と前記送気通路の下部とを連通して、前記吸気通路側の空気が前記送気通路側に送られる中間通路とからなり、かつ、
前記暖房機は、前記通路を形成するように、前記通路を覆う略円筒形に形成されたケースと、そのケース内を前記吸気通路と前記送気通路とに仕切る仕切り壁とを備え、また、前記通路内を空気が前記吸気口から前記送気口に向かって流れるように送る送風ファンと、前記通路内を流れる空気を加熱する加熱装置とを備えることを特徴とする暖房機。
【請求項２】
建物の床下に配備されて、その床上の室内を暖房するための暖房機であって、
前記床上に臨む吸気口から、同じく前記床上に臨む送気口まで空気が送られる、空気の通路を備え、
前記通路は、前記吸気口を上部に有して空気が下降する吸気通路と、前記送気口を上部に有して空気が上昇する送気通路と、前記吸気通路の下部と前記送気通路の下部とを連通して、前記吸気通路側の空気が前記送気通路側に送られる中間通路とからなり、かつ、
前記暖房機は、前記通路を形成するように、前記通路を覆うケースと、そのケース内を前記吸気通路と前記送気通路とに仕切る仕切り壁とを備え、また、前記通路内を空気が前記吸気口から前記送気口に向かって流れるように送る送風ファンと、前記通路内を流れる空気を加熱する加熱装置とを備え、
前記吸気通路が中央側に設けられ、この吸気通路の外周側を覆うように前記送気通路が設けられていることを特徴とする暖房機。
【請求項３】
建物の床下に配備されて、その床上の室内を暖房するための暖房機であって、
前記床上に臨む吸気口から、同じく前記床上に臨む送気口まで空気が送られる、空気の通路を備え、
前記通路は、前記吸気口を上部に有して空気が下降する吸気通路と、前記送気口を上部に有して空気が上昇する送気通路と、前記吸気通路の下部と前記送気通路の下部とを連通して、前記吸気通路側の空気が前記送気通路側に送られる中間通路とからなり、かつ、
前記暖房機は、前記通路を形成するように、前記通路を覆うケースと、そのケース内を前記吸気通路と前記送気通路とに仕切る仕切り壁とを備え、また、前記通路内を空気が前記吸気口から前記送気口に向かって流れるように送る送風ファンと、前記通路内を流れる空気を加熱する加熱装置とを備え、
前記送気通路が中央側に設けられ、この送気通路の外周側を覆うように前記吸気通路が設けられていることを特徴とする暖房機。
【請求項４】
前記ケースは、略円筒形に形成されていることを特徴とする請求項２または３に記載の暖房機。
【請求項５】
前記仕切り壁は、略円筒形に形成されていることを特徴とする、請求項１または４に記載の暖房機。
【請求項６】
前記暖房機を支持すべく、前記ケースの上端部に、前記床の上面に係合する鍔部が設けられていることを特徴とする請求項１ないし５のいずれか１項に記載の暖房機。
【発明の詳細な説明】
【０００１】
【発明の属する技術分野】
この発明は、建物の床下に配備されて、その床上の室内を暖房するための暖房機に関するものである。
【０００２】
【従来の技術および発明が解決しようとする課題】
従来より、一般家庭用の暖房機として、室内壁の上方に配備される壁掛け用の暖房機が使用されていた。この暖房機は、吸気口と送気口とを有し、吸気口から吸気された空気をラジエーター等の加熱装置により加熱し、その加熱されて温かくなった空気を、送気口から排出して、室内に循環させるものであった。
【０００３】
しかし、このような室内壁の上方に設置される暖房機においては、温かい空気を、生活空間となる室内下方に向けて排出しても、その温かい空気がすぐに上方に移動してしまうという問題があった。このため、室内上方に滞留した温かい空気をさらに吸気して加熱することとなり、部屋全体、とくに室内下方の生活空間を暖めるには、効率が悪かった。その上、温かい空気を下方に向けて排出することは、温かい空気が上方に移動する自然の流れに反しており、このため空気の流れが乱れて、温かい空気の循環速度が遅くなるという問題もあった。
【０００４】
また、他の暖房機として、室内の床に載置される床置き式の暖房機が使用されることもあった。この暖房機においては、通常、吸気口および送気口が床面よりも所定高さの位置にあるため、加熱されて温かくなった空気を上方に向けて排出すれば、送気口よりも下方側が暖かくならず、また、下方に向けて排出すると、上記と同様に、空気の流れが乱れて、温かい空気の循環速度が遅くなるという問題があった。さらに、床置き式の暖房機は、床面上での設置スペースを要し、邪魔であった。また、このようなスペースの問題から、この暖房機は、通常、室内の隅部に設置されており、このため、隅部の近傍しか暖まらないという問題もあった。
【０００５】
この発明は、上記した従来の問題を解決するためになされたものであり、その目的とするところは、温かい空気を室内に効率よく循環させることができ、とくに生活空間となる室内下方までも十分に暖めることができ、しかも、場所を取らない暖房機を提供することにある。
【０００６】
【課題を解決するための手段】
この発明に係る暖房機は、前記目的を達成するために、次の構成からなる。すなわち、
請求項１に記載の発明に係る暖房機は、建物の床下に配備されて、その床上の室内を暖房するための暖房機であって、前記床上に臨む吸気口から、同じく前記床上に臨む送気口まで空気が送られる、空気の通路を備える。この通路は、前記吸気口を上部に有して空気が下降する吸気通路と、前記送気口を上部に有して空気が上昇する送気通路と、前記吸気通路の下部と前記送気通路の下部とを連通して、前記吸気通路側の空気が前記送気通路側に送られる中間通路とからなる。そして、前記暖房機は、前記通路を形成するように、前記通路を覆う略円筒形に形成されたケースと、そのケース内を前記吸気通路と前記送気通路とに仕切る仕切り壁とを備え、また、前記通路内を空気が前記吸気口から前記送気口に向かって流れるように送る送風ファンと、前記通路内を流れる空気を加熱する加熱装置とを備えている。
【０００７】
こうして、床下に配備された暖房機は、吸気口と送気口とが床上に臨んでいる。そして、送風ファンによって、床上に臨む吸気口から吸気された空気は、その空気の通路となる、吸気通路、中間通路、送気通路を順に通り、送気口から送気される。このとき、通路内を流れる空気は、加熱装置によって加熱されて温まり、その温まった空気が、床上に臨む送気口から送気されることとなる。そして、送気口から送気された温かい空気は、室内を上昇する。また、空気は、その上昇する間に温度が下がると、下降し始める。その後、空気は、床まで達して、吸気口から吸気通路に入る。このように、空気は、暖房機と、室内の下方および上方とを循環する。
【０００８】
また、通路は、その通路がケースに覆われるとともにそのケース内を仕切り壁が吸気通路と送気通路とに仕切ることで、形成されるので、この暖房機をコンパクトにすることができる。
【０００９】
【００１０】
【００１１】
また、請求項２に記載の発明に係る暖房機は、建物の床下に配備されて、その床上の室内を暖房するための暖房機であって、前記床上に臨む吸気口から、同じく前記床上に臨む送気口まで空気が送られる、空気の通路を備える。この通路は、前記吸気口を上部に有して空気が下降する吸気通路と、前記送気口を上部に有して空気が上昇する送気通路と、前記吸気通路の下部と前記送気通路の下部とを連通して、前記吸気通路側の空気が前記送気通路側に送られる中間通路とからなる。そして、前記暖房機は、前記通路を形成するように、前記通路を覆うケースと、そのケース内を前記吸気通路と前記送気通路とに仕切る仕切り壁とを備え、また、前記通路内を空気が前記吸気口から前記送気口に向かって流れるように送る送風ファンと、前記通路内を流れる空気を加熱する加熱装置とを備えている。また、前記吸気通路と前記送気通路においては、前記吸気通路が中央側に設けられ、この吸気通路の外周側を覆うように前記送気通路が設けられている。
こうして、床下に配備された暖房機は、吸気口と送気口とが床上に臨んでいる。そして、送風ファンによって、床上に臨む吸気口から吸気された空気は、その空気の通路となる、吸気通路、中間通路、送気通路を順に通り、送気口から送気される。このとき、通路内を流れる空気は、加熱装置によって加熱されて温まり、その温まった空気が、床上に臨む送気口から送気されることとなる。そして、送気口から送気された温かい空気は、室内を上昇する。また、空気は、その上昇する間に温度が下がると、下降し始める。その後、空気は、床まで達して、吸気口から吸気通路に入る。このように、空気は、暖房機と、室内の下方および上方とを循環する。
詳しくは、温度が下がった室内の空気は、中央側に設けられた吸気通路に入り、また、温まった空気は、吸気通路の外周側を覆うように設けられた送気通路を通ってその送気口から室内に向かって送気される。そして、このように、中央側に吸気通路が設けられ、その外周側に送気通路が設けられることで、送気口から室内に向かって送気される温まった空気は、外側に広がるようにして室内に分散されて、室内の各所に行き渡る。しかも、中央側に吸気通路があることから、吸気の際に、床の上の埃やゴミを吸い込む虞がない。
また、通路は、その通路がケースに覆われるとともにそのケース内を仕切り壁が吸気通路と送気通路とに仕切ることで、形成されるので、この暖房機をコンパクトにすることができる。
【００１２】
また、請求項３に記載の発明に係る暖房機は、建物の床下に配備されて、その床上の室内を暖房するための暖房機であって、前記床上に臨む吸気口から、同じく前記床上に臨む送気口まで空気が送られる、空気の通路を備える。この通路は、前記吸気口を上部に有して空気が下降する吸気通路と、前記送気口を上部に有して空気が上昇する送気通路と、前記吸気通路の下部と前記送気通路の下部とを連通して、前記吸気通路側の空気が前記送気通路側に送られる中間通路とからなる。そして、前記暖房機は、前記通路を形成するように、前記通路を覆うケースと、そのケース内を前記吸気通路と前記送気通路とに仕切る仕切り壁とを備え、また、前記通路内を空気が前記吸気口から前記送気口に向かって流れるように送る送風ファンと、前記通路内を流れる空気を加熱する加熱装置とを備えている。また、前記送気通路と前記吸気通路においては、前記送気通路が中央側に設けられ、この送気通路の外周側を覆うように前記吸気通路が設けられている。
こうして、床下に配備された暖房機は、吸気口と送気口とが床上に臨んでいる。そして、送風ファンによって、床上に臨む吸気口から吸気された空気は、その空気の通路となる、吸気通路、中間通路、送気通路を順に通り、送気口から送気される。このとき、通路内を流れる空気は、加熱装置によって加熱されて温まり、その温まった空気が、床上に臨む送気口から送気されることとなる。そして、送気口から送気された温かい空気は、室内を上昇する。また、空気は、その上昇する間に温度が下がると、下降し始める。その後、空気は、床まで達して、吸気口から吸気通路に入る。このように、空気は、暖房機と、室内の下方および上方とを循環する。
詳しくは、温度が下がった室内の空気は、送気通路の外周側を覆うように設けられた吸気通路に入り、また、温まった空気は、中央側に設けられた送気通路を通ってその送気口から室内に向かって送気される。こうして、温まった空気は、中央側の送気通路に集中することで勢いよく室内に送気されて、その室内において速く循環する。
また、通路は、その通路がケースに覆われるとともにそのケース内を仕切り壁が吸気通路と送気通路とに仕切ることで、形成されるので、この暖房機をコンパクトにすることができる。
【００１３】
また、請求項４に記載の発明に係る暖房機のように、請求項２または３に記載の暖房機において、前記ケースは、略円筒形に形成されていてもよい。
また、請求項５に記載の発明に係る暖房機のように、請求項１または４に記載の暖房機において、前記仕切り壁は、略円筒形に形成されていてもよい。
また、請求項６に記載の発明に係る暖房機のように、請求項１ないし５のいずれか１項に記載の暖房機において、前記暖房機を支持すべく、前記ケースの上端部に、前記床の上面に係合する鍔部が設けられてもよい。こうして、ケースの上端部に設けられた鍔部が、床の上面に係合することで、この暖房機は床に支持されることとなる。
【００１４】
【発明の実施の形態】
以下、この発明に係る暖房機の実施の形態を図面に基づいて説明する。
【００１５】
図１は、本発明に係る暖房機の一実施の形態を示す。図中符号１は、建物の床である。２は、床１上の室内である。３は、床１下に配備されて、前記室内２を暖房するための暖房機である。
【００１６】
ここで、暖房機３は、床１に、例えば、円形状に明けられた孔１ａに挿入されるようにして、床１下に配備される。この暖房機３は、床１上に臨む吸気口４から、同じく床１上に臨む送気口５まで空気が送られる、空気の通路６を備えている。そして、この通路６は、吸気口４を上部に有して空気が下降する吸気通路７と、送気口５を上部に有して空気が上昇する送気通路８と、吸気通路７の下部と送気通路８の下部とを連通して、吸気通路７側の空気が送気通路８側に送られる中間通路９とからなる。ここにおいて、暖房機３は、通路６内を空気が吸気口４から送気口５に向かって流れるように送る送風ファン１０と、こうして通路６内を流れる空気を加熱する加熱装置１１とを備えている。
【００１７】
具体的には、暖房機３は、前記通路６を形成するように、その通路６を覆うケース１２と、ケース１２内を前記吸気通路７と前記送気通路８とに仕切る仕切り壁１３と、を備える。より具体的には、ケース１２は、略円筒形に形成されている。このケース１２は、その略円筒形の上端側が開口し、下端側が底壁１２ａによって閉じている。そして、仕切り壁１３もまた、略円筒形に形成されて、ケース１２内の上部側に納められている（すなわち底壁１２ａから離れるようにして納められている。）。この仕切り壁１３は、その略円筒形の上端側および下端側が開口している。そして、仕切り壁１３の内部が、前記吸気通路７となり、仕切り壁１３とケース１２とに挟まれる空間が、前記送気通路８となり、また、ケース１２内の仕切り壁１３よりも下方が前記中間通路９となっている。このようにして、吸気通路７が中央側に設けられ、この吸気通路７の外周側を覆うように送気通路８が設けられている。特に、図示実施の形態においては、これら略円筒形をした、ケース１２および仕切り壁１３は、それらの軸心がほぼ同一となるように位置しており、送気通路８は、吸気通路７の外周側をほぼ一定の幅で覆っている。
【００１８】
また、ケース１２の上端部には、この暖房機３を支持すべく、床１の上面に係合する鍔部１２ｂが設けられている。さらに、ケース１２の上端部分には、段部１２ｃが設けられている。この段部１２ｃは、鍔部１ｂから若干下がって設けられており、この段部１２ｃに、フィルター１４やがらり１５が載せられる。図示実施の形態においては、段部１２ｃにフィルター１４が載せられ、そのフィルター１４の上にがらり１５が載せられている。このがらり１５は、吸気口４および送気口５を覆っており、その吸気口４を覆う側は、例えば、各板が縦方向を向いており、また、送気口５を覆う側は、例えば、各板が上方ほど中央から離れるように向いている。
【００１９】
ところで、前記送風ファン１０は、吸気通路７に設けられている。そして、加熱装置１１は、吸気通路７に設けられている。すなわち、送風ファン１０と加熱装置１１とは、仕切り壁１３の内部に、上下に並ぶようにして（送風ファン１０が下に、そして加熱装置１１が上となるように）設けられている。なお、加熱装置１１は、例えば、温水が通るラジエーターからなっている。
【００２０】
次に、以上の構成からなる暖房機３の作用効果について説明する。この暖房機３は、床１下に配備されており、送風ファン１０によって、床１上に臨む吸気口４から吸気された空気は、その空気の通路６となる、吸気通路７、中間通路９、送気通路８を順に通り、床１上に臨む送気口５から送気される。このとき、通路６内を流れる空気は、加熱装置１１によって加熱されて温まり、その温まった空気が、床１上に臨む送気口５から送気されることとなる。そして、送気口５から送気された温かい空気は、室内２を上昇する。また、空気は、その上昇する間に温度が下がると、下降し始める。その後、空気は、床１まで達して、吸気口４から吸気通路７に入る。このように、空気は、暖房機３と、室内２の下方および上方とを循環する。こうして、床１上に臨む送気口５から送気される温かい空気は、室内２の下方から上方まで行き渡り、その温かい空気を室内２に効率よく循環させることができ、とくに生活空間となる室内２下方までも十分に暖めることができる。
【００２１】
ここにおいて、温度が下がった室内２の空気は、暖房機３の中央側に設けられた吸気通路７に入り、また、温まった空気は、吸気通路７の外周側を覆うように設けられた送気通路８を通ってその送気口５から室内２に向かって送気される。
そして、このように、中央側に吸気通路７が設けられ、その外周側に送気通路８が設けられることで、送気口５から室内２に向かって送気される温まった空気は、外側に広がるようにして室内２に分散されるので、この温まった空気を、室内２の各所に行き渡らせることができる。しかも、中央側に吸気通路７があることから、吸気の際に、床１の上の埃やゴミを吸い込む虞がない。
【００２２】
また、この暖房機３は、床１下に配備されるので場所を取ることがない。その上、暖房機３における空気の通路６は、その通路６がケース１２に覆われるとともにそのケース１２内を仕切り壁１３が吸気通路７と送気通路８とに仕切ることで、形成されているので、この暖房機３をコンパクトにすることができる。さらに、ケース１２の上端部に設けられた鍔部１２ｂが、床１の上面に係合することで、この暖房機３を床１に支持させることができる。こうして、床１の上面に係合する鍔部１２ｂによって、暖房機３を床１に簡単に取り付けることができる。しかも、ケース１２が、略円筒形に形成されていることから、床１の孔１ａを、ホルソー等で簡単に明けることができる。
【００２３】
なお、本発明は、上述した実施の形態に限定されるわけではなく、その他種々の変更が可能である。例えば、吸気通路７が中央側で、送気通路８がその外側となっていなくとも、図２に示すように、送気通路８が中央側に設けられ、この送気通路８の外周側を覆うように吸気通路７が設けられてもよい。すなわち、仕切り壁１３の内部が、送気通路８となり、仕切り壁１３とケース１２とに挟まれる空間が、吸気通路７となり、そして、ケース１２内の仕切り壁１３よりも下方が中間通路９となっていてもよい。特に、図示実施の形態においては、これら略円筒形をした、ケース１２および仕切り壁１３は、それらの軸心がほぼ同一となるように位置しており、吸気通路７は、送気通路８の外周側をほぼ一定の幅で覆っている。さらに、送風ファン１０は、送気通路８に設けられている。そして、加熱装置１１は、送気通路８に設けられている。すなわち、送風ファン１０と加熱装置１１とは、仕切り壁１３の内部に、上下に並ぶようにして（送風ファン１０が下に、そして加熱装置１１が上となるように）設けられている。この実施の形態によると、温度が下がった室内の空気は、送気通路８の外周側を覆うように設けられた吸気通路７に入り、また、温まった空気は、中央側に設けられた送気通路８を通ってその送気口５から室内に向かって送気される。こうして、温まった空気は、中央側の送気通路８に集中することで勢いよく室内２に送気されるので、この温まった空気を、室内２において速く循環させることができる。さらに、加熱装置１１が、送気通路８に設けられているため、送気通路８内の空気は、送風ファン１０によって上昇するだけでなく、その加熱装置１１によって温められて上昇するため、その送気通路８内を効率よく上昇することができる。
【００２４】
また、図１および図２においては、送風ファン１０と加熱装置１１とは、送風ファン１０が下に、そして加熱装置１１が上となるようにして、上下に並んでいるが、例えば、図３に示すように、送風ファン１０が上に、そして加熱装置１１が下となるようにして、上下に並んでいてもよい。さらに、送風ファン１０や加熱装置１１は、仕切り壁１３の内部に設けられなくとも、仕切り壁１３とケース１２との間の、送気通路８あるいは吸気通路７に設けられてもよく、また、中間通路９に設けられてもよい。
【００２５】
また、仕切り壁１３は、略円筒形に形成されていなくとも、多角形をした筒形に形成されてもよく、また、ケース内を、例えば、中央部において左右に仕切るように平板状に形成されていてもよい。
【００２６】
また、ケース１２は、略円筒形に形成されていなくとも、多角形をした筒形に形成されてもよく、その他のどのような形状に形成されていてもよい。
【００２７】
また、フィルター１４は、吸気口４および送気口５を覆っているが、例えば吸気口４のみを覆うものであってもよい。
【００２８】
また、加熱装置１１は、温水が通るラジエーターからならなくとも、温風が通るラジエーターからなっていてもよく、また、電熱装置等からなっていてもよい。
【００２９】
【発明の効果】
以上、詳述したところから明らかなように、この発明に係る暖房機によれば、次の効果がある。
【００３０】
請求項１に記載された暖房機によれば、床上に臨む送気口から送気される温かい空気は、室内の下方から上方まで行き渡り、その温かい空気を室内に効率よく循環させることができ、とくに生活空間となる室内下方までも十分に暖めることができる。しかも、この暖房機は、床下に配備されるので場所を取らない。
【００３１】
さらに、暖房機内の空気の通路が、ケースと仕切り壁によって形成されるので、この暖房機をコンパクトにすることができる。
【００３２】
また、請求項２に記載された暖房機によれば、床上に臨む送気口から送気される温かい空気は、室内の下方から上方まで行き渡り、その温かい空気を室内に効率よく循環させることができ、とくに生活空間となる室内下方までも十分に暖めることができる。その上、吸気通路の外周側を覆うように設けられた送気通路を通ってその送気口から室内に向かって送気される、温まった空気は、外側に広がるようにして室内に分散されるので、この温まった空気を、室内の各所に行き渡らせることができる。しかも、この暖房機は、床下に配備されるので場所を取らない。さらに、暖房機内の空気の通路が、ケースと仕切り壁によって形成されるので、この暖房機をコンパクトにすることができる。
【００３３】
また、請求項３に記載された暖房機によれば、床上に臨む送気口から送気される温かい空気は、室内の下方から上方まで行き渡り、その温かい空気を室内に効率よく循環させることができ、とくに生活空間となる室内下方までも十分に暖めることができる。その上、温まった空気は、中央側に設けられた送気通路を通ってその送気口から室内に向かって送気されるので、この温まった空気は、中央側の送気通路に集中させて勢いよく室内に送気されるので、この温まった空気を、室内において速く循環させることができる。しかも、この暖房機は、床下に配備されるので場所を取らない。さらに、暖房機内の空気の通路が、ケースと仕切り壁によって形成されるので、この暖房機をコンパクトにすることができる。
【００３４】
また、請求項６に記載された暖房機によれば、加えて、ケースの上端部に設けられた鍔部が、床の上面に係合することで、この暖房機を床に支持させることができる。
【図面の簡単な説明】
【図１】  この発明に係る暖房機の一実施の形態の、模式図である。
【図２】  この発明に係る暖房機の他の実施の形態の、図１相当図である。
【図３】  この発明に係る暖房機のさらに他の実施の形態の、図１相当図である。
【符号の説明】
１  床                            ２  室内
３  暖房機                        ４  吸気口
５  送気口                        ６  通路
７  吸気通路                      ８  送気通路
９  中間通路                      １０  送風ファン
１１加熱装置                      １２  ケース
１２ｂ  鍔部                      １３  仕切り壁
【図１】
0003852582.tif 000002
【図２】
0003852582.tif 000003
【図３】
0003852582.tif 000004